(57)【要約】【課題】  レンズ鏡筒の外周面に取り付けた細長状の閉塞部材のシール性を向上する。【解決手段】  周方向に沿った細長の開口部１１を有するレンズ鏡筒１０と、この開口部１１を閉塞するようにレンズ鏡筒１０の外周面に締結部材４０を介して着脱可能に取り付けられる閉塞部材３０と、レンズ鏡筒１０と閉塞部材３０の間に介装され、閉塞部材３０の取付面をシールする弾性シール部材２０とを備え、締結部材４０は、閉塞部材３０の周方向両端部で閉塞部材３０をレンズ鏡筒１０に締結し、弾性シール部材２０は、その周方向中央部の厚さが周方向両端部の厚さよりも厚くなるように形成される。【選択図】図３
2005250349.tif 000002
【特許請求の範囲】
【請求項１】
周方向に沿った細長の開口部を有するレンズ鏡筒と、
この開口部を閉塞するように前記レンズ鏡筒の外周面に締結部材を介して着脱可能に取り付けられる閉塞部材と、
前記レンズ鏡筒と前記閉塞部材の間に介装され、前記閉塞部材の取付面をシールする弾性シール部材とを備え、
前記締結部材は、前記閉塞部材の周方向両端部で前記閉塞部材を前記レンズ鏡筒に締結し、前記弾性シール部材は、その周方向中央部の厚さが周方向両端部の厚さよりも厚くなるように形成されることを特徴とするレンズ鏡筒のシール構造。
【請求項２】
請求項１に記載のレンズ鏡筒のシール構造において、
前記弾性シール部材はシート状であり、前記閉塞部材に接触する側の前記シール部材の表面の曲率半径が前記レンズ鏡筒に接触する側の曲率半径よりも小さくなるように形成されることを特徴とするレンズ鏡筒のシール構造。
【請求項３】
周方向に沿った細長の開口部を有するレンズ鏡筒と、
この開口部を閉塞するように前記レンズ鏡筒の外周面に締結部材を介して着脱可能に取り付けられる閉塞部材と、
前記レンズ鏡筒と前記閉塞部材の間に介装され、前記閉塞部材の取付面をシールする弾性シール部材とを備え、
前記締結部材は、前記閉塞部材の周方向両端部で前記閉塞部材を前記レンズ鏡筒に締結し、前記閉塞部材の取付面の曲率半径が対向するレンズ鏡筒の外周面の曲率半径より大きくなるように前記閉塞部材の取付面および前記レンズ鏡筒の外周面が形成されることを特徴とするレンズ鏡筒のシール構造。
【請求項４】
請求項１〜３のいずれか１項に記載のレンズ鏡筒のシール構造において、
前記閉塞部材には、撮影に関する指令を入力する操作部が設けられることを特徴とするレンズ鏡筒のシール構造。
【発明の詳細な説明】
【技術分野】
【０００１】
本発明は、レンズ鏡筒の周面に設けられた開口部をシールするレンズ鏡筒のシール構造に関する。
【背景技術】
【０００２】
一般に、一眼レフカメラの交換レンズ等においては、種々のスイッチを有するスイッチブロックがレンズ鏡筒の周面に周方向にわたって延設される。スイッチブロックは、弾性シール部材を介してレンズ鏡筒の周面に着脱可能に取り付けられ、取付時のシール部材の圧縮変形によってスイッチブロックの取付面がシールされる。この場合、スイッチブロックはビス止め等によってレンズ鏡筒に取り付けられるが、部品点数の削減および外観の向上の点からはビス止めの箇所はできるだけ少ない方が好ましく、例えばスイッチブロックの周方向両端部のみがビス止めされる。なお、カメラのシール構造に関する先行技術文献としては以下のものがある。
【０００３】
【特許文献１】登録実用新案第３００６０１７号公報
【発明の開示】
【発明が解決しようとする課題】
【０００４】
上述したシール構造において、スイッチブロックは剛体ではないため、シール部材からの反力によって外径側に変形する。この場合、ビス止め部近傍ではスイッチブロックの変形が拘束され、ビス止め部から離れるほどスイッチブロックの変形量が大きくなる。その結果、シール部材に作用する圧縮力はビス止め部から離れるほど小さくなり、この圧縮力の低下はシール性の悪化を招来する。このようなシール性の悪化は、円筒形状を有するレンズ鏡筒におけるシール構造においてとくに顕著であり、問題である。
【課題を解決するための手段】
【０００５】
本発明によるレンズ鏡筒のシール構造は、周方向に沿った細長の開口部を有するレンズ鏡筒と、この開口部を閉塞するようにレンズ鏡筒の外周面に締結部材を介して着脱可能に取り付けられる閉塞部材と、レンズ鏡筒と閉塞部材の間に介装され、閉塞部材の取付面をシールする弾性シール部材とを備え、締結部材は、閉塞部材の周方向両端部で閉塞部材をレンズ鏡筒に締結し、弾性シール部材は、その周方向中央部の厚さが周方向両端部の厚さよりも厚くなるように形成されることを特徴とする。
弾性シール部材をシート状とし、閉塞部材に接触する側のシール部材の表面の曲率半径をレンズ鏡筒に接触する側の曲率半径よりも小さくすることが好ましい。
また、閉塞部材の取付面の曲率半径が対向するレンズ鏡筒の外周面の曲率半径より大きくなるように閉塞部材の取付面およびレンズ鏡筒の外周面を形成するようにしてもよい。
閉塞部材には、撮影に関する指令を入力する操作部を設けることもできる。
【発明の効果】
【０００６】
本発明によれば、レンズ鏡筒の細長の開口部を閉塞部材で閉塞するに際し、この閉塞部材とレンズ鏡筒の間に介装される弾性シール部材の周方向中央部の厚さが周方向両端部の厚さよりも厚くなるようにした。これにより、シール部材からの反力によって閉塞部材が変形しても、シール部材に対して周方向に均一な圧縮力を及ぼすことができ、シール性の悪化を阻止できる。
【発明を実施するための最良の形態】
【０００７】
以下、図１〜図４を参照して本発明によるレンズ鏡筒のシール構造の実施の形態について説明する。
図１は、本発明が適用される一眼レフカメラの交換レンズ１００を示す正面図である。交換レンズ１００には、レンズ鏡筒１０に対して回転操作可能にフォーカス用操作環１０１が設けられ、レンズ鏡筒１０の外周面にはスイッチブロック３０が取り付けられている。以下では、スイッチブロック３０の取付面におけるシール構造について説明する。
【０００８】
図２は、スイッチブロック３０の取付部の構成を示す分解斜視図である。レンズ鏡筒１０の周面には周方向に沿って細長の開口部１１が設けられている。レンズ鏡筒１０の外周面には、開口部２１を有するシート状のシール部材２０を挟んで薄板状のスイッチブロック３０が取り付けられる。すなわちシール部材２０とスイッチブロック３０の周方向両端部にはそれぞれ貫通孔２２，３１が開口され、これら貫通孔２２，３１をビス４０が貫通し、レンズ鏡筒１０のねじ部１２に螺合する。これによりシール部材２０を介してスイッチブロック３０がレンズ鏡筒１０に締結され、スイッチブロック３０により開口部１１が覆われるとともに、シール部材２０によりスイッチブロック３０の取付面がシールされる。
【０００９】
スイッチブロック３０は樹脂成形などにより形成され、その表面には撮影に関する指令を入力する種々のスイッチ部材、例えばフォーカスモードの切換スイッチ、防振モードのオンオフスイッチ、ブザーのオンオフスイッチなどが配設されている。これら複数のスイッチを配設するためにスイッチブロック３０の表面積は大きくなりやすく、スイッチブロック３０は周方向に延在し、細長の円弧状となっている。スイッチブロック３０の各スイッチは撮影者によって操作され、その操作信号は開口部２１，１１を貫通する信号線（不図示）を介し、レンズ鏡筒１０の内部を伝わってカメラ本体に入力される。なお、スイッチブロック３０は交換レンズ１００の修理等の際に取り外すことがあるため、レンズ鏡筒１０に対し着脱可能に取り付ける必要がある。
【００１０】
シール部材２０はゴムなどの弾性体により形成される。シール部材２０の機能として、スイッチブロック３０の取付面の防水性および防塵性を確保し、レンズ鏡筒内部の気密性を保つことが要求される。この場合、スイッチブロック３０はシール部材２０からの反力によって外径側に変形するが、ビス止め部では変形が拘束されるため、ビス止め部から離れるほど変形量が大きくなる。とくにスイッチブロック３０は細長状であり、かつ円弧状であるために曲げ剛性が小さく、変形量が大きくなりやすい。その結果、スイッチブロック３０の周方向中央部においてシール部材２０に作用する圧縮力が不足し、十分なシール性を確保できなくなる。これを防止するため、本実施の形態では以下のようにシール部材２０を構成する。
【００１１】
図３，４は、本実施の形態に係わるシール構造を示す断面図である。なお、図３はスイッチブロック３０の取付前の状態を示し、図４は取付後の状態を示す。レンズ鏡筒１０の外周面には凹部１３が形成され、この凹部１３にシール部材２０の縁部が嵌合し、レンズ鏡筒１０に対しシール部材２０が位置決めされている。また、シール部材２０の外周面には凹部２３が形成され、この凹部２３にスイッチブロック３０の底面に形成された凸部３２が嵌合し、シール部材２０に対しスイッチブロック３０が位置決めされている。なお、スイッチブロック３０の厚さは周方向にかけて一定である。
【００１２】
レンズ鏡筒１０の内周面、シール部材２０の内周面と外周面、およびスイッチブロック３０の内周面はそれぞれ所定の曲率半径により形成される。すなわちスイッチブロック３０の取付時にスイッチブロック３０の内周面とレンズ鏡筒１０の外周面とが同心円状となるように、スイッチブロック３０の内周面とレンズ鏡筒１０の外周面が形成されている。また、シール部材２０の内周面の曲率半径Ｒ２１は、隣接するレンズ鏡筒１０の外周面の曲率半径Ｒ１と等しく（Ｒ２１＝Ｒ１）、シール部材２０の外周面の曲率半径Ｒ２２は、隣接するスイッチブロック３０の内周面の曲率半径Ｒ３よりも小さく（Ｒ２２＜Ｒ３）、かつ内周面の曲率半径Ｒ２１よりも小さくなるように形成されている（Ｒ２２＜Ｒ２１）。換言すると、シール部材２０は、周方向両端部から中央部にかけて徐々に厚くなり、周方向中央部において最大厚さとなるように形成されている。
【００１３】
このようなシール部材２０を介してスイッチブロック３０を締結すると、シール部材２０の外周面（Ｒ２２）は図４の点線から実線のように変形し、周方向中央部で最大に圧縮される。したがって、周方向中央部でシール部材２０に作用する圧縮力が増大し、シール性の悪化を阻止することができる。すなわちシール部材２０の周方向中央部を厚くすることで、スイッチブロック３０が外径側に変形したときの圧縮力の低下が緩和され、シール部材２０に対して周方向に均一な圧縮力を作用し続けることができる。その結果、シール部材２０の面圧が周方向で一定となり、良好なシール性を維持できる。
【００１４】
以上の実施の形態によれば以下のような作用効果を奏することができる。
（１）シール部材２０の外周面側の曲率半径Ｒ２２を内周面側の曲率半径Ｒ２１よりも小さくし、周方向両端部から中央部にかけて厚くなるようにしたので、シール部材２０からの反力によってスイッチブロック３０の周方向中央部が外径側に大きく変形しても、シール部材２０に対して周方向に均一な圧縮力を及ぼすことでき、シール性の悪化を阻止することができる。したがって、スイッチブロック３０のように複数のスイッチが配設されて細長形状となりやすく、シール性を確保しにくい部品であっても容易にシール性を向上することができる。
【００１５】
（２）シール性の悪化を阻止するために周方向中央部をビス止めする必要がないので、部品点数の増加を抑えることができ、かつ、外観を損なうことも防止できる。
（３）周方向両端部から中央部にかけてシール部材２０の厚さを徐々に厚くするので、シール部材２０の厚さとスイッチブロック３０の変形とが良好に対応し、シール部材２０の面圧を周方向で均一とすることができる。
（４）レンズ鏡筒１０とシール部材２０に凹部１３，２３を設け、レンズ鏡筒１０に対しシール部材２０，スイッチブロック３０をそれぞれ位置決めするようにしたので、部品配置の精度が向上し、十分なシール性を確保することができる。
（５）シール部材２０の曲率半径を変更するだけなので、形状変更が最小限で済み、コストを抑えることができる。
【００１６】
なお、上記実施の形態では、シール部材２０を周方向両端部から中央部にかけて厚くするようにしたが、シール部材２０の厚さを一定とし、スイッチブロック３０の内周面の曲率半径Ｒ３が対向するレンズ鏡筒１０の外周面の曲率半径Ｒ１より大きくなるようにスイッチブロック３０の内周面とレンズ鏡筒１０の外周面を形成してもよい。この場合、スイッチブロック３０の内周面とレンズ鏡筒１０の外周面との隙間は周方向両端部よりも中央部の方が小さくなるため、曲率半径の差（Ｒ３−Ｒ１）がシール部材２０の厚さよりも大きいとき、シール部材２０に作用する圧縮力は周方向中央部において大きくなる。したがって、上述したのと同様、スイッチブロック３０の変形によるシール性の悪化を阻止することができる。
【００１７】
上記実施の形態では、シール部材２０の外周面側の曲率半径Ｒ２２を内周面側の曲率半径Ｒ２１よりも小さくしたが、少なくとも周方向中央部の厚さが周方向端部の厚さよりも厚くなるようにシール部材２０を形成するのであれば、シール部材２０の形状は上記のものに限定されない。例えばシール部材２０はシート状でなく、ブロック状のものでもよい。
【００１８】
上記実施の形態は、一眼レフカメラの交換レンズ１００に設けたスイッチブロック３０を閉塞部材とし、その閉塞部材のシール構造に適用したが、レンズ鏡筒に設けられた細長状の開口部を閉塞する他の閉塞部材のシール構造にも同様に適用することができる。したがって、閉塞部材は上述した各種スイッチ、すなわち操作部が設けられるものでなくてもよく、覗き窓用の透明ガラス等でもよい。この場合、閉塞部材の形状が変化すると閉塞部材の曲げ剛性も変化するので、曲げ剛性の大きさを考慮してシール材２０の形状を決定すればよい。スイッチブロック３０をビス４０を介して取り付けるようにしたが、他の締結部材（例えば打ち込みピン）を介して取り付けてもよい。すなわち、本発明の特徴、機能を実現できる限り、本発明は実施の形態のレンズ鏡筒のシール構造に限定されない。
【図面の簡単な説明】
【００１９】
【図１】本発明が適用される一眼レフカメラの交換レンズを示す正面図。
【図２】本発明の実施の形態に係わるスイッチブロックの取付部の構成を示す分解斜視図。
【図３】本発明の実施の形態に係わるレンズ鏡筒のシール構造を示す断面図であり、スイッチブロックの取付前の状態を示す図。
【図４】本発明の実施の形態に係わるレンズ鏡筒のシール構造を示す断面図であり、スイッチブロックの取付後の状態を示す図。
【符号の説明】
【００２０】
１０  レンズ鏡筒                      １１  開口部
２０  シール部材                      ３０  スイッチブロック
４０  ビス                          Ｒ２１  シール部材の内周面の曲率半径
Ｒ２２  シール部材の外周面の曲率半径
【図１】
2005250349.tif 000003
【図２】
2005250349.tif 000004
【図３】
2005250349.tif 000005
【図４】
2005250349.tif 000006